(57)【特許請求の範囲】
【請求項１】
設置面のベースプレートに対して平行に併置された一対の回転軸を中心に同一面内で相互に対向して反対方向に正逆回転する一対の昇降用スプロケットと、該一対の昇降用スプロケットにより水平方向から垂直方向への偏向駆動直後に相互に噛み合わせて一体に自立状態で上昇するとともに前記一対の昇降用スプロケットにより垂直方向から水平方向へ偏向駆動時に相互に噛み外れて分岐する一対の昇降駆動用噛合チェーンと、該昇降駆動用噛合チェーンの上端に固着されて一体に昇降する昇降テーブルと、前記昇降テーブルと設置面側との間に伸縮自在に設けられて昇降テーブルの昇降動作をガイドする昇降補助ガイド手段と、前記ベースプレートに設置されて回転軸に動力伝達して一対の昇降用スプロケットを駆動する変速ギア群と、該変速ギア群に動力伝達する駆動モータとを備えている噛合チェーン式昇降装置において、
前記昇降駆動用噛合チェーンが、フック状内歯プレートと該フック状内歯プレートに対してチェーン長手方向に半ピッチ分ずらして重なり合うフック状外歯プレートと前記フック状内歯プレート同士をチェーン幅方向に連結固定するブシュと該ブシュに外嵌されるローラと前記フック状外歯プレートにチェーン幅方向で連結固定される連結ピンとを用いてそれぞれチェーン幅方向に複列で編成されているとともに前記昇降テーブルの下部左右両側の離間した位置で変速ギア群を挟むように２組配置され、
前記昇降補助ガイド手段が、前記昇降テーブルの下部左右両側の昇降駆動用噛合チェーンよりもさらに離間した位置に配置されていることを特徴とする噛合チェーン式昇降装置。    
【請求項２】
前記駆動モータが、前記昇降テーブルの最下降位置の周辺域に離間配置されていることを特徴とする請求項１記載の噛合チェーン式昇降装置。
【請求項３】
前記一対の昇降駆動用噛合チェーンを水平方向へ分岐して収納する噛合チェーン収納手段が、前記昇降テーブルの最下降位置の周辺域に離間配置されていることを特徴とする請求項１または請求項２に記載の噛合チェーン式昇降装置。
【発明の詳細な説明】
【技術分野】
【０００１】
本発明は、各種製造分野の製造設備、運輸分野の移送設備、医療福祉分野の介護設備、芸術分野の舞台設備などに用いて昇降テーブルを設置面に対して平行に昇降動させる昇降装置であって、特に、噛合チェーンを昇降動作の駆動媒体として採用した噛合チェーン式昇降装置に関する。
【背景技術】
【０００２】
従来、昇降装置としては、互いに噛み合って一体的に昇降する噛合チェーン、所謂、チャックチェーンを用いて重量物などの被昇降物を昇降移動させる昇降装置がある（特許文献１参照）。
【特許文献１】特開平１１−２７８７９７号公報（特に、第１頁、図１参照）
【発明の開示】
【発明が解決しようとする課題】
【０００３】
しかしながら、従来の噛合チェーンを用いた昇降装置は、載置台状の荷重支持部材に搭載された被昇降物を含めた全荷重を支持しながら昇降する噛合いチェーンが荷重支持部材の片側に設けられているため、被昇降物が荷重支持部材に偏在した状態で搭載されている場合、荷重支持部材の片側に偏荷重が負荷されて荷重支持部材の載置面が水平な状態から傾斜状態となり、被昇降物が滑落しないように荷重支持部材を箱形にするなど様々な工夫を強いられるとともに、このような箱形の荷重支持部材への被昇降物の搬出搬入が困難になるという取り扱い上の厄介な問題があり、また、搭載された被昇降物を含めた全荷重を支持しながら自立状態で昇降する噛合いチェーンが座屈し易くなってチェーン耐久性を損なうとともに噛合いチェーンの横揺れに起因する不安定な昇降動作を生じる虞れがあるという昇降操作上の問題があった。
【０００４】
また、従来の噛合チェーンを用いた昇降装置は、噛合チェーンを昇降させる駆動モータと垂直壁状の収納ガイド部とが一対のスプロケット近傍に配置されているため、これらの駆動モータと一対の収納ガイド部との高さ寸法分だけ荷重支持部材の下降位置を低くすることができない、すなわち、荷重支持部材を低床化できず、荷重支持部材に対する被昇降物の搬出搬入に多大な作業負担を強いられるという昇降作業上の問題があった。
【０００５】
そこで、本発明が解決しようとする技術的課題、すなわち、本発明の目的は、被昇降物が昇降テーブル上に偏在した状態で搭載されている場合や昇降テーブルの最上昇位置近傍において昇降テーブルの幅方向に生じがちな横揺れの虞れがある場合であっても、昇降テーブル上の水平な載置面に搭載した被昇降物を滑落せずに安定して昇降させるとともに被昇降物を含めた全荷重を昇降テーブルの左右両側で分担軽減して自立状態で昇降させる噛合いチェーンの座屈を抑制して優れたチェーン耐久性を実現し、しかも、昇降テーブルの最下降位置を低床化して被昇降物の昇降テーブルに対する搬出搬入作業や保守メンテナンスが安全且つ簡便な噛合チェーン式昇降装置を提供することである。
【課題を解決するための手段】
【０００６】
まず、本請求項１に係る発明は、設置面のベースプレートに対して平行に併置された一対の回転軸を中心に同一面内で相互に対向して反対方向に正逆回転する一対の昇降用スプロケットと、該一対の昇降用スプロケットにより水平方向から垂直方向への偏向駆動直後に相互に噛み合わせて一体に自立状態で上昇するとともに前記一対の昇降用スプロケットにより垂直方向から水平方向へ偏向駆動時に相互に噛み外れて分岐する一対の昇降駆動用噛合チェーンと、該昇降駆動用噛合チェーンの上端に固着されて一体に昇降する昇降テーブルと、前記昇降テーブルと設置面側との間に伸縮自在に設けられて昇降テーブルの昇降動作をガイドする昇降補助ガイド手段と、前記ベースプレートに設置されて回転軸に動力伝達して一対の昇降用スプロケットを駆動する変速ギア群と、該変速ギア群に動力伝達する駆動モータとを備えている噛合チェーン式昇降装置において、前記昇降駆動用噛合チェーンが、フック状内歯プレートと該フック状内歯プレートに対してチェーン長手方向に半ピッチ分ずらして重なり合うフック状外歯プレートと前記フック状内歯プレート同士をチェーン幅方向に連結固定するブシュと該ブシュに外嵌されるローラと前記フック状外歯プレートにチェーン幅方向で連結固定される連結ピンとを用いてそれぞれチェーン幅方向に複列で編成されているとともに前記昇降テーブルの下部左右両側の離間した位置で変速ギア群を挟むように２組配置され、前記昇降補助ガイド手段が、前記昇降テーブルの下部左右両側の昇降駆動用噛合チェーンよりもさらに離間した位置に配置されていることにより、前記課題を解決したものである。
【０００７】
そして、本請求項２に係る発明は、請求項１に係る噛合チェーン式昇降装置において、前記駆動モータが前記昇降テーブルの最下降位置の周辺域に離間配置されていることにより、前記課題をさらに解決したものである。
【０００８】
また、本請求項３に係る発明は、請求項１または請求項２に係る噛合チェーン式昇降装置において、前記一対の昇降駆動用噛合チェーンを水平方向へ分岐して収納する噛合チェーン収納手段が前記昇降テーブルの最下降位置の周辺域に離間配置されていることにより、前記課題をさらに解決したものである。
【発明の効果】
【０００９】
本発明の噛合チェーン式昇降装置は、設置面のベースプレートに対して平行に併置された一対の回転軸を中心に同一面内で相互に対向して反対方向に正逆回転する一対の昇降用スプロケットと、これら一対の昇降用スプロケットにより水平方向から垂直方向への偏向駆動直後に相互に噛み合わせて一体に自立状態で上昇するとともに一対の昇降用スプロケットにより垂直方向から水平方向へ偏向駆動時に相互に噛み外れて分岐する一対の昇降駆動用噛合チェーンと、これら昇降駆動用噛合チェーンの上端に固着されて一体に昇降する昇降テーブルと、この昇降テーブルと設置面側との間に伸縮自在に設けられて昇降テーブルの昇降動作をガイドする昇降補助ガイド手段と、ベースプレートに設置されて回転軸に動力伝達して一対の昇降用スプロケットを駆動する変速ギア群と、この変速ギア群に動力伝達する駆動モータとを備えていることによって、昇降テーブルが昇降位置に関係なく昇降用スプロケットの正逆回転に合わせて昇降可能であるため、昇降テーブルの昇降動作を等速かつ迅速に達成できるとともにチェーン収納手段と駆動部分の高い設計自由度を実現でき、加えて、以下のような特有の構成に対応した格別の効果を奏することができる。
【００１０】
すなわち、本請求項１に係る噛合チェーン式昇降装置は、一対の昇降駆動用噛合チェーンが昇降テーブルの下部左右両側の離間した位置で変速ギア群を挟むように２組配置されていることにより、被昇降物が昇降テーブル上に偏在した状態で搭載されている場合や昇降テーブルの最上昇位置近傍において昇降テーブルの幅方向に生じがちな横揺れの虞れがある場合であっても、昇降テーブルの下部左右両側に変速ギア群を挟むようにそれぞれ離間配置された一対の昇降駆動用噛合チェーンが、搭載された被昇降物を含めた全荷重を昇降テーブルの左右両側で分担して軽減した自立状態で昇降するため、被昇降物を水平な載置面で安定して昇降させることができる。
【００１１】
そして、昇降駆動用噛合チェーンが、フック状内歯プレートとこのフック状内歯プレートに対してチェーン長手方向に半ピッチ分ずらして重なり合うフック状外歯プレートと前記フック状内歯プレート同士をチェーン幅方向に連結固定するブシュとこのブシュに外嵌されるローラとフック状外歯プレートにチェーン幅方向で連結固定される連結ピンとを用いてそれぞれチェーン幅方向に複列で編成されていることにより、一対の昇降駆動用噛合チェーンの一方を構成するフック状外歯プレートとフック状内歯プレートが、これに対向する他方の昇降駆動用噛合チェーンを構成するフック状外歯プレートとフック状内歯プレートに対してチェーン幅方向の複列に亙ってそれぞれフック状、所謂、チャック状に多重かつ強固に噛み合うため、搭載された被昇降物を含めた全荷重を支持しながら自立状態で昇降する昇降駆動用噛合チェーンにチェーン幅方向の片側に偏荷重が負荷された場合であっても昇降駆動用噛合チェーンのチェーン幅方向に生じがちな座屈を確実に抑制して優れたチェーン耐久性を実現できる。
【００１２】
また、昇降補助ガイド手段が昇降テーブルと設置面側との間に伸縮自在に設けられていることにより、昇降補助ガイド手段に偏荷重が作用しないため、昇降駆動用噛合チェーンの昇降駆動に応じて昇降テーブルの昇降動作を円滑にガイドすることができる。
しかも、昇降補助ガイド手段が、昇降テーブルの下部左右両側の昇降駆動用噛合チェーンよりもさらに離間した位置に配置されていることにより、昇降駆動用噛合チェーンの昇降駆動に追従して昇降テーブルの昇降動作を無理なく誘導補助しながらガイドするため、昇降する昇降テーブルの安定性を確保できる。      
【００１３】
そして、請求項２に係る噛合チェーン式昇降装置は、請求項１に係る噛合チェーン式昇降装置が奏する効果に加えて、駆動モータが昇降テーブルの最下降位置の周辺域に離間配置されていることにより、この駆動モータの高さ寸法分に配慮することなく、昇降テーブルの最下降位置を低くすること、すなわち、昇降テーブルの低床化が可能となるため、昇降テーブルに対して被昇降物を搬出搬入する作業負担が大幅に軽減できるとともに、昇降機構の保守メンテナンスの際に駆動モータが作業障害要因にならず安全且つ簡便なメンテナンス作業が達成できる。
【００１４】
また、請求項３に係る噛合チェーン式昇降装置は、請求項１または請求項２に係る噛合チェーン式昇降装置が奏する効果に加えて、一対の昇降駆動用噛合チェーンを水平方向へ分岐して収納する噛合チェーン収納手段が昇降テーブルの最下降位置の周辺域に離間配置されていることにより、従来のような昇降駆動用噛合チェーンの巻き上げによる収納スペースの高さ寸法分に配慮することなく、昇降テーブルの最下降位置を低くすること、すなわち、昇降テーブルの低床化が可能となるため、昇降テーブルに対して被昇降物を搬出搬入する作業負担が大幅に軽減できるとともに、昇降駆動用噛合チェーンの保守メンテナンスを簡便に達成できる。
【発明を実施するための最良の形態】
【００１５】
本発明は、設置面のベースプレートに対して平行に併置された一対の回転軸を中心に同一面内で相互に対向して反対方向に正逆回転する一対の昇降用スプロケットと、これら一対の昇降用スプロケットにより水平方向から垂直方向への偏向駆動直後に相互に噛み合わせて一体に自立状態で上昇するとともに一対の昇降用スプロケットにより垂直方向から水平方向へ偏向駆動時に相互に噛み外れて分岐する一対の昇降駆動用噛合チェーンと、これら昇降駆動用噛合チェーンの上端に固着されて一体に昇降する昇降テーブルと、この昇降テーブルと設置面側との間に伸縮自在に設けられて昇降テーブルの昇降動作をガイドする昇降補助ガイド手段と、ベースプレートに設置されて回転軸に動力伝達して一対の昇降用スプロケットを駆動する変速ギア群と、この変速ギア群に動力伝達する駆動モータとを備えている噛合チェーン式昇降装置において、昇降駆動用噛合チェーンがフック状内歯プレートと該フック状内歯プレートに対してチェーン長手方向に半ピッチ分ずらして重なり合うフック状外歯プレートとフック状内歯プレート同士をチェーン幅方向に連結固定するブシュと該ブシュに外嵌されるローラとフック状外歯プレートにチェーン幅方向で連結固定される連結ピンとを用いてそれぞれチェーン幅方向に複列で編成されているとともに昇降テーブルの下部左右両側の離間した位置で変速ギア群を挟むように２組配置され、昇降補助ガイド手段が、前記昇降テーブルの下部左右両側の昇降駆動用噛合チェーンよりもさらに離間した位置に配置され、被昇降物が昇降テーブル上に偏在した状態で搭載されている場合や昇降テーブルの最上昇位置近傍において昇降テーブルの幅方向に生じがちな横揺れの虞れがある場合であっても、昇降テーブル上の水平な載置面に搭載した被昇降物を滑落せずに安定して昇降させるとともに被昇降物を含めた全荷重を昇降テーブルの左右両側で分担軽減して自立状態で昇降させる噛合いチェーンの座屈を抑制して優れたチェーン耐久性を実現し、昇降テーブルの最下降位置を低床化して被昇降物の昇降テーブルに対する搬出搬入作業や保守メンテナンスが安全且つ簡便なものであれば、その具体的な実施の態様は、如何なるものであっても何ら構わない。
【００１６】
たとえば、本発明の噛合チェーン式昇降装置で昇降テーブルの左右両側にそれぞれ離間配置する昇降駆動用噛合チェーンは、所謂、チャックチェーンと称するものであって、一対の昇降用スプロケットにより水平方向から垂直方向への偏向駆動直後に相互に噛み合わせて一体に自立状態で上昇するとともに一対の昇降用スプロケットにより垂直方向から水平方向へ偏向駆動時に相互に噛み外れて分岐するものであって、その具体的なチェーン形態については、チェーン幅方向に２列以上の複列でローラを有するもの、あるいは、ブシュを有するものの何れであっても構わない。
【００１７】
さらに、本発明の噛合チェーン式昇降装置は、被昇降物を昇降させる昇降テーブルが昇降駆動用噛合チェーンの駆動力によって昇降するものであるが、この昇降テーブルの安定した昇降動作をガイドするために昇降テーブルと設置面側との間に昇降補助ガイド手段を介在させることが望ましく、この昇降補助ガイド手段の具体的な形態については、シザーリフタ等に用いられているＸ字状のパンタアームであっても良く、ガイドポストリフタ等に用いられているテレスコパイプであっても良い。
【００１８】
本発明の一実施例を図１乃至図１０に基づいて説明する。
ここで、図１は、本発明の第１実施例である噛合チェーン式昇降装置の全体斜視図であり、図２は、図１から昇降テーブルとパンタアームを除いた状態の斜視図であり、図３は、図２に示す昇降駆動用スプロケット近傍の一部拡大図であり、図４は、本実施例で用いた昇降駆動用噛合チェーンの分解組み立て状態と噛み外れ状態を示した図であり、図５は、本実施例である噛合チェーン式昇降装置の最上昇位置を示す正面図であり、図６は、本実施例である噛合チェーン式昇降装置の最上昇位置を示す側面図であり、図７は、本実施例である噛合チェーン式昇降装置の最下降位置を示す全体斜視図であり、図８は、本実施例である噛合チェーン式昇降装置の最下降位置を示す正面図であり、図９は、本実施例である噛合チェーン式昇降装置の最下降位置を示す側面図であり、図１０は、本発明の第２実施例である噛合チェーン式昇降装置の全体斜視図である。
【００１９】
まず、本発明の第１実施例である噛合チェーン式昇降装置１００は、図１に示すように、重量物（図示していない）を搭載する昇降テーブル１１０を設置面に対して平行に昇降させるために設置するものである。
【００２０】
そして、本実施例の噛合チェーン式昇降装置１００は、図１乃至図４に示すように、前述した昇降テーブル１１０が平行に昇降する設置面に据え付けたベースプレート１２０と、このベースプレート１２０に対して平行に併置された一対の回転軸１３０、１３０を中心に同一面内で相互に対向して反対方向に正逆回転する一対の昇降用スプロケット１４０、１４０と、これらの一対の昇降用スプロケット１４０、１４０と噛み外れることによって昇降テーブル１１０を昇降する一対の昇降駆動用噛合チェーン１５０、１５０と、この昇降駆動用噛合チェーン１５０、１５０の上端に固着されて一体に昇降する前述した昇降テーブル１１０と、前記一対の昇降用スプロケット１４０、１４０を駆動する駆動モータ１６０とを基本的な装置構成として備えている。
【００２１】
なお、図１及び図２に示す符号１６１、１６１は、駆動モータ１６０の出力軸側に同軸配置した一対の駆動側スプロケットであり、符号１６２、１６２は、駆動側スプロケット１６１、１６１から一対の昇降用スプロケット１４０、１４０側へ動力伝達するためのローラチェーンからなる一対の動力伝達チェーンであり、図３に示す符号１６３、１６３は、一対の動力伝達チェーン１６２、１６２から一方向の回転を変速させるとともに一対の昇降用スプロケット１４０、１４０へ相互に反対方向に正逆回転するように動力伝達するための変速ギア群である。
【００２２】
そして、本実施例の噛合チェーン式昇降装置１００では、図３に示すように、一対の昇降用スプロケット１４０、１４０に対して噛み外れる一対の昇降駆動用噛合チェーン１５０、１５０を誘導移動させるチェーン誘導プレート１７０が一対の昇降用スプロケットの対向する股間領域に設けられ、一対の昇降駆動用噛合チェーン１５０、１５０が水平方向から垂直方向への偏向駆動直後に相互に噛み合って一体に自立状態で上昇させるようになっている。
【００２３】
さらに、前述した駆動モータ１６０は、図１などで示すように、昇降テーブル１１０の最下降位置の周辺域、すなわち、昇降テーブル１１０の投影傘下の領域外に離間配置されている。
【００２４】
また、前述したチェーン収納手段１８０も、図１に示すように、駆動モータ１６０と同様に、昇降テーブル１１０の最下降位置の周辺域、すなわち、昇降テーブル１１０の投影傘下の領域外に離間配置されている。
すなわち、相互に噛み外れて分岐した一対の昇降駆動用噛合チェーン１５０、１５０の一方は、駆動モータ１６０側に配置した巻き取り型のチェーン収納ボックス１８１からなるチェーン収納手段１８０内に収納されるとともに、一対の昇降駆動用噛合チェーン１５０、１５０の他方は、駆動モータ１６０と対向する反対側に配置した直線状収納レール１８２からなるチェーン収納手段１８０内に収納されるように構成されている。
【００２５】
したがって、これらの駆動モータ１６０や噛合チェーン収納手段１８０の高さ寸法分に配慮することなく、昇降テーブル１１０の最下降位置を低くすること、すなわち、昇降テーブル１１０の低床化が可能となるため、昇降テーブル１１０に対して被昇降物を搬出搬入する作業負担が大幅に軽減され、昇降機構の保守メンテナンスの際に駆動モータ１６０や噛合チェーン収納手段１８０が作業障害要因にならず安全且つ簡便なメンテナンス作業が行えるようになっている。
【００２６】
また、図１に示すように、昇降テーブル１１０と設置面側のベースプレート１２０との間にＸ字状のパンタアームと称するインナーアーム１９１とアウターアーム１９２からなる上下２段連結形態の昇降補助ガイド手段１９０を介在させることにより、昇降テーブル１１０の安定した昇降動作をガイドするように構成されている。
なお、図１などに示す符号１９３は、インナーアーム１９１の下端を昇降動作に応じて摺動させるためのスライドレールである。
【００２７】
そこで、本発明の第１実施例である噛合チェーン式昇降装置１００が最も特徴とする一対の昇降駆動用噛合チェーン１５０、１５０は、所謂、チャックチェーンと称するものであって、図４で示すように、フック状内歯プレート１５１と、このフック状内歯プレート１５１に対してチェーン長手方向に半ピッチ分ずらして重なり合うフック状外歯プレート１５２と、前記フック状内歯プレート１５１同士をチェーン幅方向に連結固定するブシュ１５３と、このブシュ１５３に外嵌されるローラ１５４と、前記外歯プレート１５２同士をチェーン幅方向に連結固定する連結ピン１５５とを用いてそれぞれチェーン幅方向に２列で編成されており、前述したチェーン誘導プレート１７０に沿って水平方向から垂直方向への偏向駆動直後に相互に噛み合わせて一体に自立状態で上昇するとともに一対の昇降用スプロケット１４０、１４０により垂直方向から水平方向へ偏向駆動時に相互に噛み外れて分岐するように配置されている。
【００２８】
そして、一対の昇降駆動用噛合チェーン１５０、１５０の一方を構成するフック状内歯プレート１５１とフック状外歯プレート１５２とが、これに対向する他方の昇降駆動用噛合チェーン１５０を構成するフック状内歯プレート１５１とフック状外歯プレート１５２とに対してチェーン幅方向の複列に亙ってそれぞれフック状、所謂、チャック状に多重かつ強固に噛み合うようになっており、搭載された被昇降物を含めた全荷重を支持しながら自立状態で昇降する昇降駆動用噛合チェーン１５０、１５０にチェーン幅方向の片側に偏荷重が負荷された場合であっても過負荷状態の昇降駆動用噛合チェーン１５０のチェーン幅方向に生じがちな座屈を確実に抑制している。
【００２９】
さらに、本発明の第１実施例である噛合チェーン式昇降装置１００は、上述した一対の昇降駆動用噛合チェーン１５０、１５０が昇降テーブル１１０の下部左右両側のそれぞれ離間した位置に配置され、すなわち、一対の昇降駆動用噛合チェーン１５０、１５０が変速ギア群１６３を挟むように２組配置されていることにより、被昇降物が昇降テーブル１１０上に偏在した状態で搭載されている場合や昇降テーブル１１０の最上昇位置近傍において昇降テーブル１１０の幅方向に生じがちな横揺れの虞れがある場合であっても、昇降テーブル１１０の左右両側にそれぞれ離間配置された一対の昇降駆動用噛合チェーン１５０、１５０を一組とする２組の昇降駆動用噛合チェーンが、搭載された被昇降物を含めた全荷重を昇降テーブルの左右両側で二分してその負荷を分担して軽減した自立状態で昇降するようになっている。
そして、前述した昇降補助ガイド手段１９０は、昇降テーブル１１０と設置面側との間に伸縮自在に設けられ、昇降補助ガイド手段１９０に偏荷重が作用しないように、昇降駆動用噛合チェーン１５０、１５０の昇降駆動に応じて昇降テーブル１１０の昇降動作を円滑にガイドしている。
しかも、前述した昇降補助ガイド手段１９０は、昇降テーブル１１０の下部左右両側の昇降駆動用噛合チェーン１５０、１５０よりもさらに離間した位置に配置されていることにより、昇降駆動用噛合チェーン１５０、１５０の昇降駆動に追従して昇降テーブル１１０の昇降動作を無理なく誘導補助しながらガイドして、昇降する昇降テーブル１１０の安定性を確保している。
【００３０】
つぎに、本発明の第１実施例である噛合チェーン式昇降装置１００の昇降動作について図１及び図５乃至図９に基づいて説明する。
まず、図１及び図５乃至図６に示すように、昇降テーブル１１０が最上昇位置に達する場合は、一対の昇降駆動用噛合チェーン１５０、１５０が一対の昇降用スプロケット１４０、１４０によってチェーン収納ボックス１８１と直線状収納レール１８２からなるチェーン収納手段１８０からそれぞれ繰り出され、この一対の昇降駆動用噛合チェーン１５０、１５０が重量物からなる被昇降物（図示していない）を搭載する昇降テーブル１１０の全重量を支えながら駆動モータ１６０の出力に応じて等速かつ迅速に上昇するようになっている。
なお、このとき、前述したＸ字状のパンタアームと称するインナーアーム１９１とアウターアーム１９２からなる上下２段連結形態の昇降補助ガイド手段１９０が、昇降テーブル１１０の安定した上昇動作をガイドするようになっている。
【００３１】
一方、図７乃至図９に示すように、昇降テーブル１１０が最下降位置に達する場合は、一対の昇降駆動用噛合チェーン１５０、１５０が一対の昇降用スプロケット１４０、１４０によってチェーン収納ボックス１８１と直線状収納レール１８２からなるチェーン収納手段１８０へそれぞれ分岐しながら引き込まれ、一対の昇降駆動用噛合チェーン１５０、１５０が重量物（図示していない）を搭載する昇降テーブル１１０の全重量を支えながら駆動モータ１６０の出力に応じて等速かつ迅速に下降するようになっている。
なお、このとき、前述したＸ字状のインナーアーム１９１とアウターアーム１９２からなる上下２段連結形態の昇降補助ガイド手段１９０が、折り畳まれながら昇降テーブル１１０の安定した下降動作をガイドするようになっている。
【００３２】
以上のように、本発明の第１実施例である噛合チェーン式昇降装置１００は、昇降テーブル１１０の左右両側にそれぞれ離間配置された一対の昇降駆動用噛合チェーン１５０、１５０が、搭載された被昇降物を含めた全荷重を昇降テーブル１１０の左右両側で二分した自立状態で昇降するため、被昇降物を水平な載置面で安定して昇降させることができるとともに、一対の昇降駆動用噛合チェーン１５０、１５０の一方を構成するフック状内歯プレート１５１とフック状外歯プレート１５２とが、これに対向する他方の昇降駆動用噛合チェーン１５０を構成するフック状内歯プレート１５１とフック状外歯プレート１５２とに対してチェーン幅方向の複列に亙ってそれぞれフック状、所謂、チャック状に多重かつ強固に噛み合うため、昇降テーブル１１０の片側に偏荷重が負荷された場合であっても昇降駆動用噛合チェーン１５０のチェーン幅方向に生じがちな座屈を確実に抑制して優れたチェーン耐久性を実現でき、しかも、Ｘ字状のインナーアーム１９１とアウターアーム１９２からなる上下２段連結形態の昇降補助ガイド手段１９０に偏荷重が作用しないため、昇降駆動用噛合チェーン１５０、１５０の昇降駆動に追従した昇降補助ガイド手段１９０の円滑な伸縮ガイド機能を発揮できる。
【００３３】
加えて、本発明の第１実施例である噛合チェーン式昇降装置１００は、チェーン収納手段１８０と駆動モータ１６０を含めた駆動部分の高い設計自由度を実現できるとともに、駆動モータ１６０とチェーン収納手段１８０の高さ寸法分に配慮することなく、昇降テーブル１１０の最下降位置を低くすること、すなわち、昇降テーブル１１０の低床化が可能となるため、昇降テーブル１１０に対して被昇降物を搬出搬入する作業負担が大幅に軽減できるとともに、昇降機構の保守メンテナンスの際に駆動モータ１６０とチェーン収納手段１８０が作業障害要因にならず安全且つ簡便なメンテナンス作業が達成できるなど、その効果は甚大である。
【００３４】
つぎに、図８は、本発明の第２実施例である噛合チェーン式昇降装置２００を示すものである。
本発明の第２実施例である噛合チェーン式昇降装置２００は、前述した本発明の第１実施例である噛合チェーン式昇降装置１００と基本的な装置構成が全く同一であるから、同一部材に付した符号の１００番台を２００番台に書き換えることにより、その説明を省略する。
したがって、本発明の第２実施例である噛合チェーン式昇降装置２００は、昇降補助ガイド手段２９０のみが前述した本発明の第１実施例である噛合チェーン式昇降装置１００と異なっているため、この昇降補助ガイド手段２９０のみを以下に説明する。
【００３５】
すなわち、本実施例の噛合チェーン式昇降装置２００は、昇降テーブル２１０と設置面側のベースプレート２２０との間の４ヶ所にそれぞれ上方に向けて順次縮径されたテレスコパイプからなる昇降補助ガイド手段２９０を介在させることにより、昇降テーブル２１０の安定した昇降動作をガイドするように構成されている。
要するに、前述した昇降補助ガイド手段２９０は、昇降テーブル２１０と設置面側との間に伸縮自在に設けられ、昇降補助ガイド手段２９０に偏荷重が作用しないように、昇降駆動用噛合チェーン２５０、２５０の昇降駆動に応じて昇降テーブル２１０の昇降動作を円滑にガイドしている。
しかも、前述した昇降補助ガイド手段２９０は、昇降テーブル２１０の下部左右両側の昇降駆動用噛合チェーン２５０、２５０よりもさらに離間した位置に配置されていることにより、昇降駆動用噛合チェーン２５０、２５０の昇降駆動に追従して昇降テーブル２１０の昇降動作を無理なく誘導補助しながらガイドして、昇降する昇降テーブル２１０の安定性を確保している。
【００３６】
以上のように得られた本発明の第２実施例である噛合チェーン式昇降装置２００も、前述した第１実施例である噛合チェーン式昇降装置１００と同様に、一対の昇降駆動用噛合チェーン２５０、２５０が昇降テーブル２１０の下部左右両側のそれぞれ離間した位置に配置され、すなわち、一対の昇降駆動用噛合チェーン２５０、２５０が変速ギア群２６３を挟むように２組配置されていることにより、搭載された被昇降物を含めた全荷重を昇降テーブル２１０の左右両側で二分した自立状態で昇降するため、被昇降物を水平な載置面で安定して昇降させることができるとともに、一対の昇降駆動用噛合チェーン２５０、２５０の一方を構成するフック状内歯プレート２５１とフック状外歯プレート２５２とが、これに対向する他方の昇降駆動用噛合チェーン２５０を構成するフック状内歯プレート２５１とフック状外歯プレート２５２とに対してチェーン幅方向の複列に亙ってそれぞれフック状、所謂、チャック状に多重かつ強固に噛み合うため、昇降テーブル２１０の片側に偏荷重が負荷された場合であっても昇降駆動用噛合チェーン２５０のチェーン幅方向に生じがちな座屈を確実に抑制して優れたチェーン耐久性を実現できる。
【００３７】
また、本発明の第２実施例である噛合チェーン式昇降装置２００も、前述した第１実施例と同様に駆動モータ２６０と噛合チェーン収納手段２８０が昇降テーブル２１０の最下降位置の周辺域に離間配置されていることにより、この駆動モータ２６０や噛合チェーン収納手段２８０の高さ寸法分に配慮することなく、昇降テーブル２１０の低床化が可能となるため、昇降テーブル２１０に対して被昇降物を搬出搬入する作業負担が大幅に軽減でき、昇降機構の保守メンテナンスの際に駆動モータ２６０や噛合チェーン収納手段２８０が作業障害要因にならず安全且つ簡便なメンテナンス作業が達成できるなど、その効果は甚大である。
【図面の簡単な説明】
【００３８】
【図１】本発明の第１実施例である噛合チェーン式昇降装置の全体斜視図。
【図２】図１から昇降テーブルとパンタアームを除いた状態の斜視図。
【図３】図２に示す昇降駆動用スプロケット近傍の一部拡大図。
【図４】昇降駆動用噛合チェーンの分解組み立て状態と噛み外れ状態を示した図。
【図５】本実施例である噛合チェーン式昇降装置の最上昇位置を示す正面図。
【図６】本実施例である噛合チェーン式昇降装置の最上昇位置を示す側面図。
【図７】本実施例である噛合チェーン式昇降装置の最下降位置を示す全体斜視図。
【図８】本実施例である噛合チェーン式昇降装置の最下降位置を示す正面図。
【図９】本実施例である噛合チェーン式昇降装置の最下降位置を示す側面図。
【図１０】本発明の第２実施例である噛合チェーン式昇降装置の全体斜視図。
【符号の説明】
【００３９】
１００，２００  ・・・噛合チェーン式昇降装置
１１０，２１０  ・・・昇降テーブル
１２０，２２０  ・・・ベースプレート
１３０  ・・・回転軸
１４０，２４０  ・・・昇降用スプロケット
１５０，２５０  ・・・昇降駆動用噛合チェーン
１５１  ・・・フック状内歯プレート
１５２  ・・・フック状外歯プレート
１５３  ・・・ブシュ
１５４  ・・・ローラ
１５５  ・・・連結ピン
１６０，２６０  ・・・駆動モータ
１６１  ・・・駆動側スプロケット
１６２  ・・・動力伝達チェーン
１６３  ・・・変速ギア群
１７０  ・・・チェーン誘導プレート
１８０，２８０  ・・・チェーン収納手段
１８１  ・・・巻き取り型のチェーン収納ボックス
１８２  ・・・直線状収納レール
１９０，２９０  ・・・昇降補助ガイド手段
１９１  ・・・インナーアーム
１９２  ・・・アウターアーム
１９３  ・・・スライドレール
【図１】
0004723538.tif 000002
【図２】
0004723538.tif 000003
【図３】
0004723538.tif 000004
【図４】
0004723538.tif 000005
【図５】
0004723538.tif 000006
【図６】
0004723538.tif 000007
【図７】
0004723538.tif 000008
【図８】
0004723538.tif 000009
【図９】
0004723538.tif 000010
【図１０】
0004723538.tif 000011